(57)【特許請求の範囲】
【請求項１】
画像形成装置と通信する情報端末装置であって、
ディスプレーと、
前記ディスプレーの方向を検出する方向検出部と、
前記方向検出部が第１方向を検出している場合に、第１ジョブの設定を前記画像形成装置に対して行う第１設定部と、
前記方向検出部が前記第１方向と反対の方向である第２方向を検出している場合に、前記第１ジョブと相違する第２ジョブの設定を前記画像形成装置に対して行う第２設定部と
を備える、情報端末装置。
【請求項２】
前記第１設定部は、前記ディスプレーに第１設定画面を表示し、前記第１設定画面に対するユーザーからの入力に基づいて前記第１ジョブを前記画像形成装置に対して設定し、
前記第２設定部は、前記ディスプレーに第２設定画面を表示し、前記第２設定画面に対するユーザーからの入力に基づいて前記第２ジョブを前記画像形成装置に対して設定する、請求項１に記載の情報端末装置。
【請求項３】
前記第１ジョブ及び前記第２ジョブは、画像の印刷ジョブであって、
前記第１設定部は、前記画像の第１印刷条件を前記画像形成装置に対して設定すると共に、前記第１印刷条件に対応する第１プレビュー画像を前記ディスプレーに表示し、
前記第２設定部は、前記画像の第２印刷条件を前記画像形成装置に対して設定すると共に、前記第２印刷条件に対応する第２プレビュー画像を前記ディスプレーに表示する、請求項１又は請求項２に記載の情報端末装置。
【請求項４】
前記方向検出部が前記第１方向と前記第２方向との間の第３方向を検出している場合に、前記第１設定部は、前記ディスプレーの第１領域に前記第１プレビュー画像を表示し、前記第２設定部は、前記ディスプレーの前記第１領域とは相違する第２領域に前記第２プレビュー画像を表示する、請求項３に記載の情報端末装置。
【請求項５】
前記方向検出部が前記第３方向を検出している場合に、
前記第１設定部は、前記第１方向と前記第３方向とのなす角度に応じて、前記第１領域のサイズを定め、
前記第２設定部は、前記第２方向と前記第３方向とのなす角度に応じて、前記第２領域のサイズを定める、請求項４に記載の情報端末装置。
【請求項６】
前記第１設定部は、前記第１方向と前記第３方向とのなす角度の大きさに基づいて、前記第１領域のサイズを変更し、
前記第２設定部は、前記第２方向と前記第３方向とのなす角度の大きさに基づいて、前記第２領域のサイズを変更する、請求項５に記載の情報端末装置。
【請求項７】
ユーザーからの１つの入力に基づいて、前記第１ジョブ及び前記第２ジョブの実行を前記画像形成装置に対して指示する実行指示部を更に備える、請求項１から請求項６のいずれか１項に記載の情報端末装置。
【請求項８】
ディスプレーを備えた情報端末装置と、前記情報端末装置と通信する画像形成装置とを備える画像形成システムであって、
前記情報端末装置は、
前記ディスプレーの方向を検出する方向検出部と、
前記方向検出部が第１方向を検出している場合に、第１ジョブの設定を前記画像形成装置に対して行う第１設定部と、
前記方向検出部が前記第１方向と反対の方向である第２方向を検出している場合に、前記第１ジョブと相違する第２ジョブの設定を前記画像形成装置に対して行う第２設定部と
を備え、
前記画像形成装置は、
前記情報端末装置からの指示を受け付ける指示受付部と、
前記指示受付部が受け付けた指示に従って前記第１ジョブ及び前記第２ジョブの設定を行うジョブ制御部と
を備える、画像形成システム。
【請求項９】
情報端末装置に記憶されるプログラムであって、
前記情報端末装置は、ディスプレーとコンピューターとを備え、画像形成装置と通信し、
前記コンピューターを、
前記ディスプレーの方向を検出する方向検出部と、
前記方向検出部が第１方向を検出している場合に、第１ジョブの設定を前記画像形成装置に対して行う第１設定部と、
前記方向検出部が前記第１方向と反対の方向である第２方向を検出している場合に、前記第１ジョブと相違する第２ジョブの設定を前記画像形成装置に対して行う第２設定部と
して機能させる、プログラム。
【発明の詳細な説明】
【技術分野】
【０００１】
本発明は、情報端末装置、画像形成システム、及びプログラムに関する。
【背景技術】
【０００２】
画像形成装置に対して複数のジョブの実行条件を並行して設定する技術が知られている。例えば、特許文献１には、複数のプレビュー画像を表示する画像形成装置が開示されている。具体的には、画像形成装置は、各プレビュー画像に対応する印刷条件の設定内容を変更し、設定内容が変更された場合には、対応するプレビュー画像を、変更された設定内容に応じたプレビュー画像に変更する。
【０００３】
特許文献１に記載の画像形成装置によれば、複数の印刷条件の設定を並行して行うことができる。
【先行技術文献】
【特許文献】
【０００４】
【特許文献１】特開２００８−３０４７０９号公報
【発明の概要】
【発明が解決しようとする課題】
【０００５】
しかしながら、特許文献１に記載の画像形成装置では、画像形成装置の備えるディスプレーのサイズが小さい場合には、複数の印刷条件をユーザーが所望する大きさで表示できない場合がある。したがって、ユーザーが適正な印刷条件を設定できない可能性がある。
【０００６】
本発明は、上記課題に鑑みてなされたものであり、複数のジョブの実行条件を並行して設定できる情報端末装置、画像形成システム、及びプログラムを提供することを目的としている。
【課題を解決するための手段】
【０００７】
本発明の情報端末装置は、画像形成装置と通信する情報端末装置であって、ディスプレー、方向検出部、第１設定部、及び第２設定部を備える。前記方向検出部は、前記ディスプレーの方向を検出する。前記第１設定部は、前記方向検出部が第１方向を検出している場合に、第１ジョブの設定を前記画像形成装置に対して行う。前記第２設定部は、前記方向検出部が前記第１方向と相違する第２方向を検出している場合に、前記第１ジョブと相違する第２ジョブの設定を前記画像形成装置に対して行う。
【０００８】
本発明の画像形成システムは、ディスプレーを備えた情報端末装置と、前記情報端末装置とする画像形成装置とを備える。前記情報端末装置は、方向検出部、第１設定部、及び第２設定部を備える。前記方向検出部は、前記ディスプレーの方向を検出する。前記第１設定部は、前記方向検出部が第１方向を検出している場合に、第１ジョブの設定を前記画像形成装置に対して行う。前記第２設定部は、前記方向検出部が前記第１方向と相違する第２方向を検出している場合に、前記第１ジョブと相違する第２ジョブの設定を前記画像形成装置に対して行う。前記画像形成装置は、指示受付部、及びジョブ制御部を備える。前記指示受付部は、前記情報端末装置からの指示を受け付ける。前記ジョブ制御部は、前記指示受付部が受け付けた指示に従って前記第１ジョブ及び前記第２ジョブの設定を行う。
【０００９】
本発明のプログラムは、情報端末装置に記憶されるプログラムであって、前記情報端末装置は、ディスプレーとコンピューターとを備え、画像形成装置と通信する。前記プログラムは、前記コンピューターを方向検出部、第１設定部、及び第２設定部として機能させる。前記方向検出部は、前記ディスプレーの方向を検出する。前記第１設定部は、前記方向検出部が第１方向を検出している場合に、第１ジョブの設定を前記画像形成装置に対して行う。前記第２設定部は、前記方向検出部が前記第１方向と相違する第２方向を検出している場合に、前記第１ジョブと相違する第２ジョブの設定を前記画像形成装置に対して行う。
【発明の効果】
【００１０】
本発明の情報端末装置、画像形成システム、及びプログラムによれば、複数のジョブの実行条件を並行して設定できる。
【図面の簡単な説明】
【００１１】
【図１】本発明の実施形態に係る画像形成システムの全体構成を示す図である。
【図２】画像形成装置の構成を示す図である。
【図３】タブレット端末装置の制御部及び画像形成装置の制御部の構成を示す図である。
【図４】方向検出部が第１方向を検出している場合にディスプレーに表示されるプレビュー画像の一例を示す図である。
【図５】方向検出部が第２方向を検出している場合にディスプレーに表示されるプレビュー画像の一例を示す図である。
【図６】方向検出部が第３方向を検出している場合にディスプレーに表示されるプレビュー画像の一例を示す図である。
【図７】方向検出部が第３方向を検出している場にディスプレーに表示されるプレビュー画像の他の一例を示す図である。
【図８】方向検出部が第３方向を検出している場合にディスプレーに表示されるプレビュー画像の更に他の一例を示す図である。
【図９】タブレット端末装置の制御部の動作を示すフローチャートである。
【図１０】タブレット端末装置の制御部の画像表示処理を示すフローチャートである。
【発明を実施するための形態】
【００１２】
以下、本発明の実施形態について、図面（図１〜図１０）を参照しながら説明する。なお、図中、同一又は相当部分については同一の参照符号を付して説明を繰り返さない。
【００１３】
まず、図１を参照して本発明の実施形態に係る画像形成システム１００について説明する。図１は、本発明の実施形態に係る画像形成システム１００の全体構成を示す。図１に示すように、画像形成システム１００は、タブレット端末装置１及び画像形成装置２を備える。タブレット端末装置１は、画像形成装置２と通信する。具体的には、タブレット端末装置１は、画像形成装置２と、例えば、Ｗｉ−Ｆｉ、Ｂｌｕｅｔｏｏｔｈ（登録商標）のような無線通信を介して通信する。タブレット端末装置１は、「情報端末装置」の一例に相当する。
【００１４】
タブレット端末装置１は、制御部１１、タッチパネル１２、ジャイロセンサー１３及び加速度センサー１４を備える。タブレット端末装置１は、例えばタブレットＰＣ（Ｐｅｒｓｏｎａｌ  Ｃｏｍｐｕｔｅｒ）である。制御部１１は、タブレット端末装置１の動作を制御する。制御部１１は、プロセッサー１１Ａ、及び記憶部１１Ｂを備える。記憶部１１Ｂには制御プログラムが記憶されている。プロセッサー１１Ａは、記憶部１１Ｂに記憶された制御プログラムを読み出して実行することによってタブレット端末装置１の動作を制御する。
【００１５】
タッチパネル１２は、ディスプレー１２Ａ及びタッチセンサー１２Ｂを備える。ディスプレー１２Ａは、種々の画像を表示する。タッチセンサー１２Ｂはタッチパネル１２への物体の接触位置を検出する。タッチセンサー１２Ｂは、例えばディスプレー１２Ａの表示面上に配置される。
【００１６】
ジャイロセンサー１３は、タブレット端末装置１の３軸方向の傾きを検出する。「３軸方向」とは、タブレット端末装置１の基準方向と、基準方向に直交する２方向とを示す。具体的には、基準方向は、例えば、ディスプレー１２Ａの表示面の４辺のうちの長辺方向を示す。基準方向に直交する２方向は、ディスプレー１２Ａの表示面の４辺のうちの短辺方向と、ディスプレー１２Ａの表示面と直交する方向とを示す。ジャイロセンサー１３は、「方向検出部」の一部を構成する。
【００１７】
加速度センサー１４は、タブレット端末装置１の３軸方向の傾きを検出する。「３軸方向」とは、ジャイロセンサー１３の「３軸方向」と同一の方向を示す。加速度センサー１４は、「振動検出部」の一部を構成する。
【００１８】
次に、図２を参照して画像形成装置２について説明する。図２は、画像形成装置２の構成を示す。図２に示すように、画像形成装置２は、複合機である。また、画像形成装置２は、画像形成ユニット２１、画像読取ユニット２２、原稿搬送ユニット２３、操作パネル２４及び制御部２５を備える。
【００１９】
画像形成ユニット２１は、記録媒体の一例である用紙Ｐに画像を形成する。画像読取ユニット２２は、原稿Ｒに形成された画像を読み取る。原稿搬送ユニット２３は、原稿Ｒを画像読取ユニット２２に供給する。操作パネル２４は、タッチパネル２４１を備え、ユーザーからの操作を受け付ける。制御部２５は、画像形成装置２の動作を制御する。
【００２０】
また、画像形成ユニット２１は、給紙カセット２１１、搬送ローラー対２１２、画像形成部２１３、定着器２１４、排出ローラー対２１５、及び排出トレイ２１６を備える。
【００２１】
給紙カセット２１１から繰り出された用紙Ｐは、搬送ローラー対２１２によって画像形成部２１３まで搬送される。画像形成部２１３は、用紙Ｐに画像を形成する。画像が形成された用紙Ｐは、定着器２１４まで搬送される。定着器２１４は、用紙Ｐに形成された画像を用紙Ｐに定着する。画像が定着された用紙Ｐは、排出ローラー対２１５によって排出トレイ２１６へ排出される。
【００２２】
制御部２５は、プロセッサー２５Ａ、及び記憶部２５Ｂを備える。記憶部２５Ｂには制御プログラムが記憶されている。プロセッサー２５Ａは、記憶部２５Ｂに記憶された制御プログラムを読み出して実行することによって画像形成装置２の動作を制御する。
【００２３】
次に、図３を参照してタブレット端末装置１の制御部１１及び画像形成装置２の制御部２５の構成について説明する。図３は、タブレット端末装置１の制御部１１及び画像形成装置２の制御部２５の構成を示す。図３に示すように、制御部１１は、方向検出部１１１、第１設定部１１２、第２設定部１１３、振動検出部１１４及び実行指示部１１５を備える。具体的には、プロセッサー１１Ａは、記憶部１１Ｂに記憶された制御プログラムを読み出して実行することによって、方向検出部１１１、第１設定部１１２、第２設定部１１３、振動検出部１１４及び実行指示部１１５として機能する。
【００２４】
方向検出部１１１は、ジャイロセンサー１３の検出結果に基づいてディスプレー１２Ａの方向ＤＲを検出する。
【００２５】
第１設定部１１２は、方向検出部１１１が第１方向ＤＲ１を検出している場合に、第１ジョブＪＢ１の実行条件の設定を画像形成装置２に対して行う。本実施形態では、第１ジョブＪＢ１は、例えば１つの画像の印刷ジョブである。
【００２６】
第２設定部１１３は、方向検出部１１１が第１方向ＤＲ１と相違する第２方向ＤＲ２を検出している場合に、第２ジョブＪＢ２の実行条件の設定を画像形成装置２に対して行う。第２方向ＤＲ２は、例えば、第１方向ＤＲ１と逆方向である。本実施形態では、第２ジョブＪＢ２は、例えば１つの画像の印刷ジョブである。
【００２７】
振動検出部１１４は、加速度センサー１４を介して、タブレット端末装置１の振動を検出する。
【００２８】
実行指示部１１５は、ユーザーからの入力に基づいて、第１ジョブＪＢ１及び第２ジョブＪＢ２の少なくとも一方の実行を画像形成装置２に対して指示する。
【００２９】
図３に示すように、制御部２５は、指示受付部２５１及びジョブ制御部２５２を備える。具体的には、プロセッサー２５Ａは、記憶部２５Ｂに記憶された制御プログラムを読み出して実行することによって、指示受付部２５１及びジョブ制御部２５２として機能する。
【００３０】
指示受付部２５１は、タブレット端末装置１からの指示を受け付ける。ジョブ制御部２５２は、指示受付部２５１が受け付けたタブレット端末装置１からの指示に従ってジョブの設定及びジョブの実行を行う。
【００３１】
次に、図３〜図８を参照して、方向検出部１１１、第１設定部１１２及び第２設定部１１３の機能について説明する。まず、図３及び図４を参照して、方向検出部１１１及び第１設定部１１２について説明する。本実施形態では、便宜上、ディスプレー１２Ａが所定平面内で回転される場合について説明する。例えば、ディスプレー１２Ａの長辺方向が基準方向と一致する場合に、方向検出部１１１は、ディスプレー１２Ａの方向ＤＲとして第１方向ＤＲ１を検出する。また、方向検出部１１１は、ディスプレー１２Ａの方向ＤＲと第１方向ＤＲ１とのなす角度θを検出する。
【００３２】
図４は、方向検出部１１１が第１方向ＤＲ１を検出している場合にディスプレー１２Ａに表示される第１プレビュー画像ＰＶ１の一例を示す。図４に示すように、第１方向ＤＲ１は、例えば、ディスプレー１２Ａの表示面の４辺のうちの長辺に略平行な方向を示す。
【００３３】
方向検出部１１１が第１方向ＤＲ１を検出している場合に、第１設定部１１２は、１つの画像の第１印刷条件Ｃ１を画像形成装置２に対して設定する。具体的には、第１設定部１１２は、ディスプレー１２Ａに図略の第１設定画面ＳＣ１を表示して、ユーザーからの入力に基づいて第１印刷条件Ｃ１を画像形成装置２に対して設定する。また、第１設定部１１２は、例えば、第１設定画面ＳＣ１に表示されたプレビューボタンＰＶＢがタッチされた場合に、図４に示すように、第１印刷条件Ｃ１に対応する第１プレビュー画像ＰＶ１をディスプレー１２Ａに表示する。
【００３４】
次に、図３及び図５を参照して、方向検出部１１１及び第２設定部１１３について説明する。図５は、方向検出部１１１が第２方向ＤＲ２を検出している場合にディスプレー１２Ａに表示される第２プレビュー画像ＰＶ２の一例を示す。図５に示すように、本実施形態では、第２方向ＤＲ２は、第１方向ＤＲ１と逆方向である。第２方向ＤＲ２と第１方向ＤＲ１とのなす角度は、１８０°である。
【００３５】
方向検出部１１１が第２方向ＤＲ２を検出している場合に、第２設定部１１３は、１つの画像の第２印刷条件Ｃ２を画像形成装置２に対して設定する。第２印刷条件Ｃ２は、第１印刷条件Ｃ１とは相違する。第２設定部１１３は、ディスプレー１２Ａに図略の第２設定画面ＳＣ２を表示して、ユーザーからの入力に基づいて第２印刷条件Ｃ２を画像形成装置２に対して設定する。また、第２設定部１１３は、例えば、図略の設定画面に表示されたプレビューボタンＰＶＢがタッチされた場合に、図５に示すように、第２印刷条件Ｃ２に対応する第２プレビュー画像ＰＶ２をディスプレー１２Ａに表示する。
【００３６】
第２印刷条件Ｃ２は、第１印刷条件Ｃ１と、例えば印刷濃度が異なる。第２印刷条件Ｃ２の印刷濃度は、第１印刷条件Ｃ１の印刷濃度よりも濃い。よって、第２プレビュー画像ＰＶ２は、第１プレビュー画像ＰＶ１よりも濃い。第２プレビュー画像ＰＶ２が第１プレビュー画像ＰＶ１よりも濃いことを、第２プレビュー画像ＰＶ２の人物の髪にハッチングを施し、第１プレビュー画像ＰＶ１の人物の髪にハッチングを施さないことによって図示している。
【００３７】
以上、図３〜図５を参照して説明したように、方向検出部１１１が第１方向ＤＲ１を検出している場合に、第１設定部１１２は第１ジョブＪＢ１の実行条件の設定を画像形成装置２に対して行う。また、方向検出部１１１が第１方向ＤＲ１と相違する第２方向ＤＲ２を検出している場合に、第２設定部１１３は、第２ジョブＪＢ２の実行条件の設定を画像形成装置２に対して行う。よって、ユーザーは方向検出部１１１が第１方向ＤＲ１を検出するようにタブレット端末装置１を配置することによって、第１ジョブＪＢ１の実行条件の設定を画像形成装置２に対して行うことができる。また、ユーザーは方向検出部１１１が第２方向ＤＲ２を検出するようにタブレット端末装置１を配置することによって、第２ジョブＪＢ２の実行条件の設定を画像形成装置２に対して行うことができる。したがって、複数のジョブＪＢ１、ＪＢ２の実行条件を並行して設定できる。
【００３８】
また、第２方向ＤＲ２は、第１方向ＤＲ１と反対の方向である。よって、ユーザーは方向検出部１１１が第１方向ＤＲ１又は第２方向ＤＲ２を検出するようにタブレット端末装置１を容易に配置することができる。したがって、ユーザーは、第１ジョブＪＢ１の実行条件の設定と、第２ジョブＪＢ２の実行条件の設定とを容易に切り換えることができる。
【００３９】
更に、第１設定部１１２は、ディスプレー１２Ａに第１設定画面ＳＣ１を表示する。そして、第１設定画面ＳＣ１に対するユーザーからの入力に基づいて第１ジョブＪＢ１を画像形成装置２に対して設定する。一方、第２設定部１１３は、ディスプレー１２Ａに第２設定画面ＳＣ２を表示する。そして、第２設定画面ＳＣ２に対するユーザーからの入力に基づいて第２ジョブＪＢ２を画像形成装置２に対して設定する。よって、ユーザーは、第１設定画面ＳＣ１を介して第１ジョブＪＢ１の実行条件の画像形成装置２に対する設定を行うことができる。また、第２設定画面ＳＣ２を介して第２ジョブＪＢ２の実行条件の画像形成装置２に対する設定を行うことができる。したがって、画像形成装置２に対して第１ジョブＪＢ１及び第２ジョブＪＢ２の実行条件を並行して容易に設定することができる。
【００４０】
加えて、第１ジョブＪＢ１及び第２ジョブＪＢ２は、画像の印刷ジョブである。また、第１設定部１１２は、画像の第１印刷条件Ｃ１を画像形成装置２に対して設定する。第１設定部１１２は、第１印刷条件Ｃ１に対応する第１プレビュー画像ＰＶ１をディスプレー１２Ａに表示する。一方、第２設定部１１３は、画像の第２印刷条件Ｃ２を画像形成装置２に対して設定する。第２印刷条件Ｃ２は、第１印刷条件Ｃ１とは相違する。第２設定部１１３は、第２印刷条件Ｃ２に対応する第２プレビュー画像ＰＶ２をディスプレー１２Ａに表示する。したがって、ユーザーは、第１プレビュー画像ＰＶ１を参照して第１印刷条件Ｃ１を所望する条件に設定すると共に、第２プレビュー画像ＰＶ２を参照して第２印刷条件Ｃ２を所望する条件に設定することができる。
【００４１】
次に、図３及び図６〜図８を参照して、方向検出部１１１、第１設定部１１２及び第２設定部１１３の機能について説明する。まず、図３及び図６を参照して方向検出部１１１、第１設定部１１２及び第２設定部１１３の機能について説明する。図６は、方向検出部１１１が第３方向ＤＲ３を検出している場合にディスプレー１２Ａに表示されるプレビュー画像ＰＶ１、ＰＶ２の一例を示す。
【００４２】
方向検出部１１１が第１方向ＤＲ１と第２方向ＤＲ２との間の第３方向ＤＲ３を検出している場合に、第１設定部１１２及び第２設定部１１３は、以下の処理を実行する。すなわち、第１設定部１１２はディスプレー１２Ａの第１領域Ｒ１に第１プレビュー画像ＰＶ１を表示する。第２設定部１１３はディスプレー１２Ａの第２領域Ｒ２に第２プレビュー画像ＰＶ２を表示する。第２領域Ｒ２は第１領域Ｒ１と相違する。
【００４３】
また、方向検出部１１１が第３方向ＤＲ３を検出している場合に、第１設定部１１２及び第２設定部１１３は、更に以下の処理を実行する。第１設定部１１２は、第１方向ＤＲ１と第３方向ＤＲ３とのなす角度θ１に応じて、第１領域Ｒ１のサイズを定める。第２設定部１１３は、第２方向ＤＲ２と第３方向ＤＲ３とのなす角度θ２に応じて、第２領域Ｒ２のサイズを定める。具体的には、第１設定部１１２は、角度θ１の大きさに応じて、第１領域Ｒ１のサイズを定める。第２設定部１１３は、角度θ２の大きさに応じて、第２領域Ｒ２のサイズを定める。更に、具体的には、第１設定部１１２は、角度θ１が小さい程、第１領域Ｒ１のサイズを大きく定める。第２設定部１１３は、角度θ２が小さい程、第２領域Ｒ２のサイズを大きく定める。
【００４４】
方向検出部１１１が第３方向ＤＲ３を検出している。また、角度θ１の大きさは、角度θ２の大きさと同一である。よって、第１設定部１１２及び第２設定部１１３は、第１領域Ｒ１のサイズと第２領域Ｒ２のサイズとを同一に定める。したがって、図６に示すように、ディスプレー１２Ａに同一サイズの第１領域Ｒ１及び第２領域Ｒ２が表示される。また、第１領域Ｒ１には、第１設定部１１２が第１プレビュー画像ＰＶ１を表示し、第２領域Ｒ２には、第２設定部１１３が第２プレビュー画像ＰＶ２を表示している。
【００４５】
次に、図３及び図７を参照して第１設定部１１２及び第２設定部１１３の機能について説明する。図７は、方向検出部１１１が第３方向ＤＲ３を検出している場合にディスプレー１２Ａに表示されるプレビュー画像ＰＶ１、ＰＶ２の他の一例を示す。図７に示す第３方向ＤＲ３は、角度θ１が角度θ２よりも小さい点で図６に示す第３方向ＤＲ３と相違する。
【００４６】
図７に示すように、方向検出部１１１が第３方向ＤＲ３を検出している。また、角度θ１が角度θ２よりも小さいため、第１領域Ｒ１及び第２領域Ｒ２が第１領域Ｒ１のサイズを第２領域Ｒ２のサイズより大きく定める。したがって、ディスプレー１２Ａに第２領域Ｒ２より大きく第１領域Ｒ１が表示される。また、第１領域Ｒ１には、第１設定部１１２が第１プレビュー画像ＰＶ１を表示し、第２領域Ｒ２には、第２設定部１１３が第２プレビュー画像ＰＶ２を表示している。
【００４７】
次に、図３及び図８を参照して第１設定部１１２及び第２設定部１１３の機能について説明する。図８は、方向検出部１１１が第３方向ＤＰ３を検出している場合にディスプレー１２Ａに表示されるプレビュー画像ＰＶ１、ＰＶ２の更に他の一例を示す。図８に示す第３方向ＤＲ３は、角度θ１が角度θ２よりも大きい点で図６に示す第３方向ＤＲ３及び図７に示す第３方向ＤＲ３と相違する。
【００４８】
図８に示すように、方向検出部１１１が第３方向ＤＲ３を検出している。また、角度θ１が角度θ２よりも大きいため、第１領域Ｒ１及び第２領域Ｒ２が第１領域Ｒ１のサイズを第２領域Ｒ２のサイズより小さく定める。したがって、ディスプレー１２Ａに第２領域Ｒ２より小さく第１領域Ｒ１が表示される。また、第１領域Ｒ１には、第１設定部１１２が第１プレビュー画像ＰＶ１を表示し、第２領域Ｒ２には、第２設定部１１３が第２プレビュー画像ＰＶ２を表示している。
【００４９】
以上、図３及び図６〜図８を参照して説明したように、方向検出部１１１が第３方向ＤＲ３を検出している場合に、第１設定部１１２及び第２設定部１１３は、以下の処理を行う。すなわち、第１設定部１１２は、ディスプレー１２Ａの第１領域Ｒ１に第１プレビュー画像ＰＶ１を表示する。また、第２設定部１１３は、ディスプレー１２Ａの第２領域Ｒ２に第２プレビュー画像ＰＶ２を表示する。第２領域Ｒ２は、第１領域Ｒ１とは相違する。よって、ディスプレー１２Ａに第１プレビュー画像ＰＶ１及び第２プレビュー画像ＰＶ２を同時に表示するため、ユーザーは第１プレビュー画像ＰＶ１と第２プレビュー画像ＰＶ２とを比較することができる。したがって、ユーザーは、印刷画像が所望する画像となるように、第１印刷条件Ｃ１又は第２印刷条件Ｃ２を容易に変更できる。
【００５０】
また、方向検出部１１１が第３方向ＤＲ３を検出している場合に、第１設定部１１２及び第２設定部１１３は、更に以下の処理を実行する。第１設定部１１２は、角度θ１に応じて、第１領域Ｒ１のサイズを定める。第２設定部１１３は、角度θ２に応じて、第２領域Ｒ２のサイズを定める。よって、ユーザーは第３方向ＤＲ３を変更することによって、角度θ１及び角度θ２を変更できる。したがって、ユーザーは第１領域Ｒ１及び第２領域Ｒ２のサイズを変更できる。
【００５１】
更に、第１設定部１１２は、角度θ１が小さい程、第１領域Ｒ１のサイズを大きく定める。第２設定部１１３は、角度θ２が小さい程、第２領域Ｒ２のサイズを大きく定める。よって、ユーザーは第３方向ＤＲ３を第１方向ＤＲ１に近づけることによって、第１領域Ｒ１のサイズを大きくすることができる。また、ユーザーは第３方向ＤＲ３を第２方向ＤＲ２に近づけることによって、第２領域Ｒ２のサイズを大きくすることができる。したがって、ユーザーは第１領域Ｒ１又は第２領域Ｒ２のサイズを大きくすることができる。
【００５２】
次に、図３及び図９を参照して、タブレット端末装置１の制御部１１の動作について説明する。図９は、タブレット端末装置１の制御部１１の動作を示すフローチャートである。
図９に示すように、まず、ステップＳ１０１において、方向検出部１１１が第１方向ＤＲ１を検出しているか否かを判定する。
方向検出部１１１が第１方向ＤＲ１を検出していないと判定した場合（ステップＳ１０１でＮＯ）には、処理がステップＳ１０７に進む。方向検出部１１１が第１方向ＤＲ１を検出していると判定した場合（ステップＳ１０１でＹＥＳ）には、処理がステップＳ１０３に進む。
そして、ステップＳ１０３において、第１設定部１１２が第１設定画面ＳＣ１を表示して、１つの画像の第１印刷条件Ｃ１を画像形成装置２に対して設定する。
次に、ステップＳ１０５において、プレビューボタンＰＶＢのタッチを受け付けて、第１設定部１１２が第１印刷条件Ｃ１に対応する第１プレビュー画像ＰＶ１をディスプレー１２Ａに表示する。
【００５３】
そして、ステップＳ１０７において、方向検出部１１１が第２方向ＤＲ２を検出しているか否かを判定する。
方向検出部１１１が第２方向ＤＲ２を検出していないと判定した場合（ステップＳ１０７でＮＯ）には、処理がステップＳ１１３に進む。方向検出部１１１が第２方向ＤＲ２を検出していると判定した場合（ステップＳ１０７でＹＥＳ）には、処理がステップＳ１０９に進む。
そして、ステップＳ１０９において、第２設定部１１３が第２設定画面ＳＣ２を表示して、１つの画像の第２印刷条件Ｃ２を画像形成装置２に対して設定する。
次に、ステップＳ１１１において、プレビューボタンＰＶＢのタッチを受け付けて、第２設定部１１３が第２印刷条件Ｃ２に対応する第２プレビュー画像ＰＶ２をディスプレー１２Ａに表示する。
【００５４】
次いで、ステップＳ１１３において、「画像表示処理」が実行される。「画像表示処理」は、方向検出部１１１が第３方向ＤＰ３を検出している場合に、第１設定部１１２、第２設定部１１３及び振動検出部１１４が行う処理である。具体的には、ディスプレー１２Ａに第１領域Ｒ１及び第２領域Ｒ２を配置し、第１プレビュー画像ＰＶ１及び第２プレビュー画像ＰＶ２を表示する。
【００５５】
次に、ステップＳ１１５において、実行指示部１１５が、ユーザーからの１つの入力に基づいて、第１印刷条件Ｃ１での印刷及び第２印刷条件Ｃ２での印刷の少なくとも一方の実行を画像形成装置２に対して指示するか否かの判定を行う。「１つの入力」は、例えば、ディスプレー１２Ａに表示された一括実行ボタンのタッチである。一括実行ボタンは、２つのジョブを実行する場合にタッチされる。「２つのジョブ」は、本実施形態では、第１印刷条件Ｃ１での印刷ジョブ及び第２印刷条件Ｃ２での印刷ジョブを示す。
実行指示部１１５が印刷の実行を画像形成装置２に対して指示しないと判定した場合（ステップＳ１１５でＮＯ）には、処理がステップＳ１０１に戻る。実行指示部１１５が印刷の実行を画像形成装置２に対して指示すると判定した場合（ステップＳ１１５でＹＥＳ）には、処理がステップＳ１１７に進む。
そして、ステップＳ１１７において、実行指示部１１５が、印刷の実行を画像形成装置２に対して送信し、処理が終了する。
【００５６】
以上、図３及び図９を参照して説明したように、実行指示部１１５がユーザーからの１つの入力に基づいて、第１印刷条件Ｃ１での印刷及び第２印刷条件Ｃ２での印刷の実行を画像形成装置２に対して指示する。よって、第１印刷条件Ｃ１での印刷及び第２印刷条件Ｃ２での印刷を、１つの入力で行うことができる。
【００５７】
次に、図３及び図１０を参照して、タブレット端末装置１の制御部１１の「画像表示処理」における動作について説明する。図１０は、タブレット端末装置１の制御部１１の「画像表示処理」を示すフローチャートである。
図１０に示すように、まず、ステップＳ２０１において、方向検出部１１１が第３方向ＤＲ３を検出する。
次に、ステップＳ２０３において、第１設定部１１２が角度θ１を求め、第２設定部１１３が角度θ２を求める。
そして、ステップＳ２０５において、第１設定部１１２が角度θ１に応じて、第１領域Ｒ１のサイズを定める。
次に、ステップＳ２０７において、第２設定部１１３が角度θ２に応じて、第２領域Ｒ２のサイズを定める。
そして、ステップＳ２０９において、第１設定部１１２が第１領域Ｒ１に第１プレビュー画像ＰＶ１を表示する。
次に、ステップＳ２１１において、第２設定部１１３が第２領域Ｒ２に第２プレビュー画像ＰＶ２を表示する。
【００５８】
次いで、ステップＳ２１３において、振動検出部１１４が振動を検出したか否かを判定する。
振動検出部１１４が振動を検出していない場合（ステップＳ２１３でＮＯ）には、処理が図９のステップＳ１１５に進む。振動検出部１１４が振動を検出した場合（ステップＳ２１３でＹＥＳ）には、処理がステップＳ２１５に進む。
そして、ステップＳ２１５において、振動検出部１１４が、振動の振幅Ａが所定値ＡＳ以上であるか否かを判定する。
振動検出部１１４が、振動の振幅Ａが所定値ＡＳ以上ではないと判定した場合（ステップＳ２１５でＮＯ）には、処理が図９のステップＳ１１５に進む。振動検出部１１４が、振動の振幅Ａが所定値ＡＳ以上であると判定した場合（ステップＳ２１５でＹＥＳ）には、処理がステップＳ２１７に進む。
そして、ステップＳ２１７において、第１設定部１１２及び第２設定部１１３が、第１領域Ｒ１と第２領域Ｒ２とのプレビュー画像ＰＶ１、ＰＶ２を入れ換える。具体的には、第１設定部１１２が第１領域Ｒ１に第２プレビュー画像ＰＶ２を表示し、第２設定部１１３が第２領域Ｒ２に第１プレビュー画像ＰＶ１を表示する。そして、処理が図９のステップＳ１１５に進む。
【００５９】
以上、図３及び図１０を参照して説明したように、振動検出部１１４が所定値ＡＳ以上の振幅Ａの振動を検出した場合に、第１設定部１１２及び第２設定部１１３は以下の処理を行う。すなわち、第１設定部１１２が第１領域Ｒ１に第２プレビュー画像ＰＶ２を表示し、第２設定部１１３が第２領域Ｒ２に第１プレビュー画像ＰＶ１を表示する。よって、ユーザーは、タブレット端末装置１を振ることによって、第１領域Ｒ１と第２領域Ｒ２とに表示するプレビュー画像ＰＶ１、ＰＶ２を入れ換えることができる。したがって、第１プレビュー画像ＰＶ１及び第２プレビュー画像ＰＶ２のうち、例えば、詳細な観察を所望するプレビュー画像ＰＶ１、ＰＶ２を大きく表示することができる。
【００６０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６１】
（１）図４〜図８を参照して説明したように、タブレット端末装置１は２つのジョブの実行条件を画像形成装置２に対して設定するが、本発明はこれに限定されない。タブレット端末装置１が３つ以上のジョブの実行条件を画像形成装置２に対して設定する形態でもよい。例えば、タブレット端末装置１が４つのジョブの実行条件を画像形成装置２に対して設定する形態でもよい。具体的には、方向検出部１１１が第１方向ＤＲ１〜第４方向ＤＲ４を検出している場合に、それぞれ、第１ジョブＪＢ１〜第４ジョブＪＢ４の実行条件を画像形成装置２に対して設定する。また、第１方向ＤＲ１〜第４方向ＤＲ４のうち互いに隣接する方向は、９０°の角度をなす。例えば、第１方向ＤＲ１が、０（零）°である場合には、第２方向ＤＲ２〜第４方向ＤＲ４は、それぞれ、９０°、１８０°、２７０°である。この形態では、４つのジョブの実行条件を画像形成装置２に対して設定できる。
【００６２】
（２）図４〜図８を参照して説明したように、第１ジョブＪＢ１及び第２ジョブＪＢ２は印刷ジョブであるが、本発明はこれに限定されない。第１ジョブＪＢ１及び第２ジョブＪＢ２の少なくとも一方が印刷ジョブではない形態でもよい。例えば、第１ジョブＪＢ１が印刷ジョブであって、第２ジョブＪＢ２が画像データ送信ジョブである形態でもよい。画像データ送信ジョブは、例えば、印刷ジョブにおいて生成された原稿Ｒの画像データを、タブレット端末装置１に送信するジョブである。この形態では、ユーザーが所望する印刷条件で原稿Ｒの画像データを印刷すると共に、ユーザーが所望する画像条件で原稿Ｒの画像データをタブレット端末装置１に送信できる。また、図９を参照して説明したように、ユーザーは１つの入力によって、ユーザーが所望する印刷条件で原稿Ｒの画像データを印刷すると共に、ユーザーが所望する画像条件で原稿Ｒの画像データをタブレット端末装置１に送信できる。よって、ユーザーは、異なる種類のジョブを１つの入力によって実行することができる。
【００６３】
（３）図４〜図８を参照して説明したように、方向検出部１１１が第１方向ＤＲ１を検出している場合に、第１設定部１１２は第１印刷条件Ｃ１を画像形成装置２に対して設定するが、本発明はこれに限定されない。また、方向検出部１１１が第２方向ＤＲ２を検出している場合に、第２設定部１１３は１つの画像の第２印刷条件Ｃ２を画像形成装置２に対して設定するが、本発明はこれに限定されない。例えば、ディスプレー１２Ａの適所に印刷条件設定ボタンを表示し、ユーザーが印刷条件設定ボタンをタッチした場合に、第１印刷条件Ｃ１又は第２印刷条件Ｃ２を画像形成装置２に対して設定する形態でもよい。この形態では、方向検出部１１１が第１方向ＤＲ１又は第２方向ＤＲ２を検出していない場合であっても、第１印刷条件Ｃ１及び第２印刷条件Ｃ２を画像形成装置２に対して設定することができる。印刷条件設定ボタンは、例えば、第１領域Ｒ１及び第２領域Ｒ２の内部又は近傍に、それぞれ、表示する形態が好ましい。この形態では、第１領域Ｒ１の内部又は近傍に表示された印刷条件設定ボタンをタッチすることによって第１印刷条件Ｃ１を設定することができる。また、第２領域Ｒ２の内部又は近傍に表示された印刷条件設定ボタンをタッチすることによって第２印刷条件Ｃ２を設定することができる。
【００６４】
（４）図６〜図８を参照して説明したように、第１設定部１１２は第１領域Ｒ１に第１プレビュー画像ＰＶ１を表示し、第２設定部１１３は第２領域Ｒ２に第２プレビュー画像ＰＶ２を表示するが、本発明はこれに限定されない。ユーザーが、第１領域Ｒ１内で所定の操作を行った場合に、第１設定部１１２が第１プレビュー画像ＰＶ１を拡大又は縮小する形態でもよい。また、ユーザーが、第２領域Ｒ２内で所定の操作を行った場合に、第２設定部１１３が第２プレビュー画像ＰＶ２を拡大又は縮小する形態でもよい。これらの形態では、第１プレビュー画像ＰＶ１及び第２プレビュー画像ＰＶ２をユーザーが所望する倍率に拡大又は縮小して表示することができる。所定の操作は、例えば、ピンチアウト操作又はピンチイン操作である。
【００６５】
具体的には、第１設定部１１２がピンチアウト操作を検出した場合には、第１設定部１１２が第１プレビュー画像ＰＶ１を拡大表示する。同様に、第２設定部１１３がピンチアウト操作を検出した場合には、第２設定部１１３が第２プレビュー画像ＰＶ２を拡大表示する。一方、第１設定部１１２がピンチイン操作を検出した場合には、第１設定部１１２が第１プレビュー画像ＰＶ１を縮小表示する。同様に、第２設定部１１３がピンチイン操作を検出した場合には、第２設定部１１３が第２プレビュー画像ＰＶ２を縮小表示する。この形態では、第１プレビュー画像ＰＶ１及び第２プレビュー画像ＰＶ２を、それぞれ、ユーザーが所望する倍率に拡大表示又は縮小表示できる。
【００６６】
また、第１設定部１１２又は第２設定部１１３がピンチアウト操作を検出した場合に、第１設定部１１２が第１プレビュー画像ＰＶ１を拡大表示すると共に、第２設定部１１３が第２プレビュー画像ＰＶ２を拡大表示する形態でもよい。一方、第１設定部１１２又は第２設定部１１３がピンチイン操作を検出した場合に、第１設定部１１２が第１プレビュー画像ＰＶ１を縮小表示すると共に、第２設定部１１３が第２プレビュー画像ＰＶ２を縮小表示する。この形態では、第１プレビュー画像ＰＶ１及び第２プレビュー画像ＰＶ２を、同一の倍率で、拡大表示又は縮小表示できる。
【００６７】
（５）図１０を参照して説明したように、振動検出部１１４が所定値ＡＳ以上の振幅Ａの振動を検出した場合に第１設定部１１２及び第２設定部１１３はプレビュー画像ＰＶ１、ＰＶ２を入れ換えるが、本発明はこれに限定されない。振動検出部１１４が振幅及び振動回数が所定の条件を満たすか否かを判定し、所定の条件を満たす場合に第１設定部１１２及び第２設定部１１３がプレビュー画像ＰＶ１、ＰＶ２を入れ換える形態でもよい。「所定の条件」は、例えば、振幅Ａが所定値ＡＳ以上であって、且つ、振動回数が３回以上である。「振動回数」は、振動の方向が反転する回数の半分を示す。
【産業上の利用可能性】
【００６８】
本発明は、情報端末装置、画像形成システム、及びプログラムに利用可能である。
【符号の説明】
【００６９】
１００    画像形成システム
１    タブレット端末装置（情報端末装置）
１１    制御部
１１１    方向検出部
１１２    第１設定部
１１３    第２設定部
１１４    振動検出部
１１５    実行指示部
１１Ａ    プロセッサー
１１Ｂ    記憶部
１２    タッチパネル
１２Ａ    ディスプレー
１２Ｂ    タッチセンサー
１３    ジャイロセンサー（方向検出部の一部）
１４    加速度センサー（振動検出部の一部）
２    画像形成装置
２１    画像形成ユニット
２２    画像読取ユニット
２３    原稿搬送ユニット
２４    操作パネル
２４１    タッチパネル
２５    制御部
２５１    指示受付部
２５２    ジョブ制御部
２５Ａ    プロセッサー
２５Ｂ    記憶部
ＰＶ１    第１プレビュー画像
ＰＶ２    第２プレビュー画像
【図１】
0006443363.tif 000002
【図２】
0006443363.tif 000003
【図３】
0006443363.tif 000004
【図４】
0006443363.tif 000005
【図５】
0006443363.tif 000006
【図６】
0006443363.tif 000007
【図７】
0006443363.tif 000008
【図８】
0006443363.tif 000009
【図９】
0006443363.tif 000010
【図１０】
0006443363.tif 000011